(57)【要約】【課題】外壁材と枠部材の間に設けられた目地材が経年劣化等しても、屋内側に雨水が入り難い外壁構造を提供する。【解決手段】外壁構造は、壁下地１、枠部材４、バックアップ材５、外壁材７、及び目地材８を具備する。枠部材４は、壁下地１に形成された開口１０に設けられる。枠部材４は、壁下地１よりも屋外側に突出した突出部４０を有する。バックアップ材５は、壁下地１における開口１０の側縁部に固定される。外壁材７は、壁下地１の屋外側に突出部４０と並べて設けられる。目地材８は、バックアップ材５の屋外側に位置し、突出部４０と外壁材７との間を止水する。バックアップ材５と突出部４０との間に、この間を止水する止水材６が設けられる。【選択図】図１
2017179872.tif 000002
【特許請求の範囲】
【請求項１】
開口が形成された壁下地と、該開口に設けられた枠部材と、前記壁下地の屋外側に前記枠部材を囲うように設けられた外壁材と、該外壁材と前記枠部材との間の目地に設けられた目地材と、を備えた外壁構造であって、
前記開口の周縁部に固定され、前記目地材をバックアップするバックアップ材と、
該バックアップ材と前記枠部材との間に設けられた止水材と、をさらに備えたことを特徴とする外壁構造。
【請求項２】
前記止水材は、前記バックアップ材を前記枠部材に接着する接着剤であることを特徴とする請求項１に記載の外壁構造。
【請求項３】
前記壁下地の表面には、防水シートが貼り付けられ、
前記バックアップ材は、前記開口の周縁部の表面に固定され、
前記バックアップ材は、前記バックアップ材の前記周縁部側の端部と前記防水シートとの間を防水する防水テープによって前記防水シートに貼り付けられていることを特徴とする請求項１に記載の外壁構造。
【請求項４】
前記目地材は、前記バックアップ材に取り付けられた乾式目地材であることを特徴とする請求項１〜３のいずれか１項に記載の外壁構造。
【請求項５】
前記目地材と前記止水材との間に、外気と連通して該外気と略等圧の等圧空間が形成されていることを特徴とする請求項４に記載の外壁構造。
【請求項６】
前記止水材は、前記目地材と一体に形成されていることを特徴とする請求項１〜５のいずれか１項に記載の外壁構造。
【発明の詳細な説明】
【技術分野】
【０００１】
本発明は、外壁構造に関し、特にサッシ等が取り付けられる開口部周りの防水構造に関する。
【背景技術】
【０００２】
特許文献１には、建物開口部周辺の防水構造が開示されている。この防水構造では、建物外壁の開口部にサッシ、特にネジ止め用のフィンが設けられていないサッシが取り付けられている。サッシと外壁材との隙間には、サッシと外壁材との間の水密性を保つために、シーリング材が設けられている。
【先行技術文献】
【特許文献】
【０００３】
【特許文献１】特開２００２−３８８２７号公報
【発明の概要】
【発明が解決しようとする課題】
【０００４】
ところで、前記防水構造では、シーリング材の経年劣化等により、サッシと外壁材との間に屋外側から水が浸入した場合、この水が壁下地や柱等が存在する屋内側に入り込む恐れがある。
【０００５】
本発明は前記事情に鑑みてなされたものであって、外壁材と枠部材の間に設けられた目地材が経年劣化等しても、屋内側に水が入り難い外壁構造を提供することを目的とする。
【課題を解決するための手段】
【０００６】
前記目的を達成するために本発明の外壁構造は、開口が形成された壁下地と、該開口に設けられた枠部材と、前記壁下地の屋外側に前記枠部材を囲うように設けられた外壁材と、該外壁材と前記枠部材との間の目地に設けられた目地材と、を備えた外壁構造であって、前記開口の周縁部に固定され、前記目地材をバックアップするバックアップ材と、該バックアップ材と前記枠部材との間に設けられた止水材と、をさらに備えたことを特徴とする。
【０００７】
また、前記止水材は、前記バックアップ材を前記枠部材に接着する接着剤であることが好ましい。
【０００８】
また、前記壁下地の表面には、防水シートが貼り付けられ、前記バックアップ材は、前記開口の周縁部の表面に固定され、前記バックアップ材は、前記バックアップ材の前記周縁部側の端部と前記防水シートとの間を防水する防水テープによって前記防水シートに貼り付けられていることが好ましい。
【０００９】
また、前記目地材は、前記バックアップ材に取り付けられた乾式目地材であることが好ましい。
【００１０】
また、前記目地材と前記止水材との間に、外気と連通して該外気と略等圧の等圧空間が形成されていることが好ましい。
【００１１】
また、前記止水材は、前記目地材と一体に形成されていることが好ましい。
【発明の効果】
【００１２】
本発明に係る外壁構造は、外壁材と枠部材との間に設けられた目地材が経年劣化等しても、屋内側に雨水が入り難くなる。
【図面の簡単な説明】
【００１３】
【図１】図１は、本発明の第１実施形態に係る外壁構造を一部断面で示した斜視図である。
【図２】図２は、同上の外壁構造の水平断面図である。
【図３】図３Ａ〜図３Ｃは、前記第１実施形態の変形例に係る外壁構造を示した水平断面図である。
【図４】図４は、本発明の第２実施形態に係る外壁構造を示した水平断面図である。
【図５】図５Ａ及び図５Ｂは、前記第２実施形態の変形例の外壁構造を示した水平断面図である。
【発明を実施するための形態】
【００１４】
（第１実施形態）
本実施形態の外壁構造は、図１及び図２に示すように、壁下地１、枠部材４、バックアップ材５、外壁材７、及び目地材８を備えている。なお、以下では、外壁材７を屋外側から見たときを基準として左右方向を定義する。
【００１５】
壁下地１には、屋内外方向に貫通した矩形状の開口１０が形成されている。本実施形態の開口１０は、サッシ用開口である。壁下地１は、開口１０の四方に位置する胴縁２と、開口１０の左右の胴縁（縦胴縁）２の屋外側にそれぞれ設けられた下張り材３とを備えている。開口１０は、前記四方の胴縁２で囲まれた第１空間１１と、前記左右の胴縁２の屋外側にそれぞれ設けられた下張り材３の間に形成された第２空間１２とで構成されている。
【００１６】
本実施形態の建物は、鉄骨構造を有しており、胴縁２は例えばリップ溝形鋼である。
【００１７】
開口１０には、枠部材４が設けられている。本実施形態の枠部材４は、サッシ枠であり、例えば溶接により開口１０の四方の胴縁２に固定される。
【００１８】
下張り材３は、例えば石膏ボードで構成される。下張り材３は、例えばビス等の固着具を用いて対応する胴縁２に固定される。
【００１９】
枠部材４は、壁下地１（詳しくは下張り材３）よりも屋外側に突出した突出部４０を有している。
【００２０】
下張り材３の表面（屋外側の面）には、防水シート９０が貼り付けられている。防水シート９０は、例えば湿気を透過する性質を有する透湿防水シートである。防水シート９０により、防水シート９０の屋外側と屋内側との通気性を保ちながら、屋外側から下張り材３側に雨水が浸入することが抑制される。
【００２１】
下張り材３の屋外側には、防水シート９０を介してバックアップ材５が設けられている。バックアップ材５は、壁下地１の開口１０の周縁部に固定されている。バックアップ材５は、枠部材４の突出部４０に沿って上下方向に延びた部材である。
【００２２】
バックアップ材５は、例えば鋼板製、アルミニウム製または樹脂製であって、下張り材３の開口１０側の縁部（すなわち、壁下地１の開口１０の側縁部）に固定される固定部５０と、固定部５０の枠部材４側の端部から屋外側に突出した支持部５１とを有している。
【００２３】
固定部５０は、鉛直な板状に形成されており、防水シート９０の表面（屋外側の面）に沿って配置されている。
【００２４】
支持部５１は、平面視で屋内側に開口したコ字状に形成されており、固定部５０の枠部材４側の端部から屋外側に突出した第１片部５１１と、第１片部５１１の屋外側端部から枠部材４側に突出した第２片部５１２と、第２片部５１２の枠部材４側の端部から屋内側に突出した第３片部５１３とを有している。
【００２５】
支持部５１の第３片部５１３と、枠部材４の突出部４０との間には、この間を止水する止水材６が設けられている。本実施形態の支持部５１は、第３片部５１３の突出部４０側の側面に予め設けられた粘着剤を介して突出部４０に接着されており、この粘着剤によって止水材６が構成されている。
【００２６】
バックアップ材５の固定部５０の裏面（屋内側の面）と、下張り材３の表面（屋外側の面）との間は、防水材９により防水されている。本実施形態の固定部５０は、防水テープ９１によって防水シート９０に貼り付けられている。防水テープ９１は、固定部５０と防水シート９０とに跨っている。防水テープ９１は、枠部材４側の部分が固定部５０の屋外側の面に貼り付けられ、防水テープ９１の枠部材４とは反対側の部分が防水シート９０の屋外側の面に貼り付けられている。本実施形態では、この防水テープ９１と防水シート９０とで、固定部５０と下張り材３との間を防水する防水材９が構成されている。
【００２７】
固定部５０は、例えばビス等の固着具５２を用いて壁下地１に固定されている。すなわち、バックアップ材５の固定部５０は、防水テープ９１と固着具５２とで、壁下地１に固定されている。なお、固着具５２は、防水シート９０を通して下張り材３に固着されてもよいし、防水シート９０及び下張り材３を通して胴縁２に固着されてもよい。また、バックアップ材５の固定部５０は、防水テープ９１のみで壁下地１に固定されてもよい。
【００２８】
下張り材３の屋外側には、外壁材７を壁下地１に取り付けるための取付金具３０が設けられている。取付金具３０は、ビス等の固着具５２を用いて壁下地１に固定されている。なお、取付金具３０を壁下地１に固定するための固着具５２は、防水シート９０を通して下張り材３に固着されてもよいし、防水シート９０及び下張り材３を通して胴縁２に固着されてもよい。また、本実施形態の取付金具３０を壁下地１に固定するための固着具５２は、バックアップ材５を壁下地１に固定するための固着具５２を兼ねているが、バックアップ材５を壁下地１に固定するための固着具５２とは別の固着具であってもよい。
【００２９】
下張り材３の屋外側には、枠部材４を囲うように外壁材７が設けられている。外壁材７は、例えば、取付金具３０の屋外側に配置され、上下の端部が取付金具３０により支持された状態で、壁下地１に取り付けられる。
【００３０】
外壁材７は、バックアップ材５の支持部５１を介して枠部材４の突出部４０と左右方向に並んでいる。突出部４０と外壁材７の端面との間の目地７０は、支持部５１の第２片部５１２の屋外側に位置している。
【００３１】
目地７０には目地材８が充填されている。目地材８は例えばコーキング材である。突出部４０と外壁材７との間は、目地材８により止水されている。目地材８は、バックアップ材５によりバックアップされている。すなわち、目地材８は支持部５１により支持されており、支持部５１により屋内側への移動が規制されている。目地材８がコーキング材である場合、目地材８は、止水材６である粘着剤に密着する一方、バックアップ材５の支持部５１に密着せずに接触しているのが好ましい。これにより、枠部材４と外壁材７との間の距離が変化しても、目地材８がその変化に追従することができると共に、バックアップ材５の支持部５１と枠部材４との間の止水性を確保することができる。
【００３２】
外壁材７の施工は、例えば以下のように行われる。作業者は、まず、四周が胴縁２で囲まれた第１空間１１に枠部材４を配置し、この枠部材４を胴縁２に固定する。次に作業者は、下張り材３を胴縁２に固定し、この下張り材３の表面に防水シート９０を貼り付ける。次に作業者は、バックアップ材５を壁下地１の開口１０の周縁部の表面（屋外側の面）に取り付け、この後、取付金具３０を壁下地１に取り付ける。そして、作業者は、外壁材７を取付金具３０に取り付け、この後、外壁材７と枠部材４の突出部４０との間の目地７０に、目地材８を設ける。
【００３３】
本実施形態の外壁構造は、枠部材４の突出部４０と外壁材７との間の目地７０が、目地材８によって止水される。さらに、バックアップ材５の支持部５１と、枠部材４の突出部４０との間が、止水材６（粘着剤）によって止水される。加えて、バックアップ材５の固定部５０と下張り材３との間は、防水材９（防水シート９０と防水テープ９１）によって防水される。
【００３４】
作業者は、バックアップ材５を壁下地１に取り付ける場合、バックアップ材５の固定部５０を防水シート９０を介して下張り材３の屋外側の面に沿って配置すると共に、支持部５１を止水材６を介して突出部４０の側面に沿って配置するだけで、バックアップ材５を容易に位置決めできる。このため、固着具を用いてバックアップ材５の固定部５０を壁下地１に固定する作業を容易に行える。
【００３５】
また、作業者はバックアップ材５の支持部５１を止水材６（粘着剤）を介して枠部材４の突出部４０に接着するだけで、支持部５１と突出部４０との間に挟み込まれた止水材６により、支持部５１と突出部４０との間の止水を容易に行える。
【００３６】
なお、止水材６は粘着剤に制限されず、例えば支持部５１を突出部４０に接着するための接着剤や、支持部５１と突出部４０との間に設けられる発泡性防水材等であってもよい。
【００３７】
また、バックアップ材５は、図３Ａ〜図３Ｃに示すものであってもよい。図３Ａに示すバックアップ材５は、支持部５１の第３片部５１３の屋内側端部が、固定部５０よりも屋内側に突出している。このバックアップ材５は、第３片部５１３の屋内外方向の寸法が大きくなるため、第３片部５１３と枠部材４の突出部４０との間に挟まれる止水材６の屋内外方向の長さを長くすることができる。このため、第３片部５１３と突出部４０との間の止水性を高めることができる。
【００３８】
図３Ｂに示すバックアップ材５の支持部５１は、第２片部５１２が第１片部５１１の屋外側端部から外壁材７側に向かって突出している。また、第３片部５１３は、第２片部５１２の外壁材７側の端部から屋内側に向かって突出している。このバックアップ材５は、第１片部５１１が止水材６を介して枠部材４の突出部４０に沿って配置され、第１片部５１１と突出部４０との間が止水材６により止水される。
【００３９】
図３Ｃに示すバックアップ材５の支持部５１は、固定部５０から屋外側に突出した第１片部５１１で構成されており、第２片部５１２と第３片部５１３とを有していない。このバックアップ材５は、第１片部５１１が例えば発泡性防水材等の厚みの大きな止水材６を介して枠部材４の突出部４０に沿って配置され、目地材８は、第１片部５１１によっても支持されるが、主に止水材６によって支持される。
【００４０】
（第２実施形態）
次に第２実施形態について説明する。以下の第２実施形態の説明では、第１実施形態と共通の構成については同一の符号を付し、共通する点については説明を省略する。
【００４１】
図４に示す本実施形態の外壁構造では、目地材８がバックアップ材５の支持部５１に取り付けられた乾式目地材であり、この目地材８の一部により支持部５１と枠部材４の突出部４０との間を止水する止水材６が構成されている。
【００４２】
目地材８は、縦長の板状に形成された主体部８０と、主体部８０の左右両側面に形成された複数のひれ片８１，８２とを有している。
【００４３】
主体部８０には、屋内側に開口した差込溝８３が形成されている。バックアップ材５の支持部５１は、固定部５０から屋外側に突出した第１片部５１１で構成されている。本実施形態の支持部５１は、第２片部５１２と第３片部５１３とを有していない。目地材８は、差込溝８３に第１片部５１１が差し込まれることで、バックアップ材５に取り付けられている。
【００４４】
目地材８の複数のひれ片８１，８２は、主体部８０と一体に形成されている。複数のひれ片８１，８２は、主体部８０の屋外側部分から左右両側に突出した複数の第１ひれ片８１と、主体部８０の屋内側部分から枠部材４側に突出した複数の第２ひれ片８２とを有している。
【００４５】
枠部材４側に突出した複数の第１ひれ片８１（以下、第１ひれ片８１ａという）は、屋内外方向に並んでいる。外壁材７側に突出した複数の第１ひれ片８１（以下、第１ひれ片８１ｂという）は、屋内外方向に並んでいる。複数の第１ひれ片８１ａは、枠部材４の突出部４０の側面に圧接され、複数の第１ひれ片８１ｂは、外壁材７の端面に圧接されており、これにより、突出部４０と外壁材７との間は、止水されている。
【００４６】
主体部８０から枠部材４側に突出した複数の第２ひれ片８２は、屋内外方向に並んでいる。複数の第２ひれ片８２は、突出部４０の側面に圧接されており、これにより、バックアップ材５の第１片部５１１と突出部４０との間は、止水されている。すなわち、本実施形態では、バックアップ材５の支持部５１（第１片部５１１）と、枠部材４の突出部４０との間を止水する止水材６が、複数の第２ひれ片８２によって構成されている。
【００４７】
複数の第２ひれ片８２は、複数の第１ひれ片８１ａの屋内側に位置しており、複数の第２ひれ片８２と、複数の第１ひれ片８１ａとの間には、等圧空間８４が形成されている。等圧空間８４は、屋外側が複数の第１ひれ片８１ａで止水されており、屋内側が複数の第２ひれ片８２で止水されている。
【００４８】
等圧空間８４の上下両端部のうちの両方、又は一方は、外壁材７の屋外側の空間に通じており、外気と連通している。この等圧空間８４は、外気と略等圧の空間となるため、例えば枠部材４側に突出した複数の第１ひれ片８１ａと枠部材４との間に雨水が浸入したとしても、この雨水が屋内側（等圧空間８４側）に引き込まれ難くなり、これにより外壁における防水性はより一層高まる。
【００４９】
なお、目地材８は、外壁材７を施工する前にバックアップ材５に取り付けられてもよいし、外壁材７を施工した後にバックアップ材５に取り付けられてもよい。
【００５０】
また、バックアップ材５は、図５Ａ又は図５Ｂに示すものであってもよい。図５Ａに示すバックアップ材５は、第１片部５１１の屋内側部分５１１ａが屋外側部分５１１ｂよりも枠部材４側に突出するようにクランク状に屈曲している。
【００５１】
止水材６は、第１片部５１１の屋内側部分に設けられた粘着剤により構成されており、目地材８とは別部材である。目地材８は、主体部８０の差込溝８３に第１片部５１１の屋外側部分が差し込まれることでバックアップ材５に取り付けられている。目地材８は、第２ひれ片８２を有しておらず、等圧空間８４は、枠部材４側に突出した複数の第１ひれ片８１ａと、止水材６との間に形成される。
【００５２】
図５Ｂに示すバックアップ材５は、支持部５１が第１実施形態と同様、第１片部５１１、第２片部５１２、及び第３片部５１３を有している。止水材６は、第３片部５１３に設けられた粘着剤により構成されており、目地材８とは別部材である。目地材８は、第２ひれ片８２を有していない。目地材８は、屋内側の端面がバックアップ材５の第２片部５１２の屋外側の面に沿って配置され、これにより屋内側が第２片部５１２によって支持される。
【００５３】
（効果）
以上説明した第１実施形態及び第２実施形態の外壁構造は、以下の構成を有している。外壁構造は、開口１０が形成された壁下地１と、開口１０に設けられた枠部材４と、壁下地１の屋外側に枠部材４を囲うように設けられた外壁材７と、外壁材７と枠部材４との間の目地７０に設けられた目地材８と、を備える。外壁構造は、開口１０の周縁部に固定され、目地材８をバックアップするバックアップ材５と、バックアップ材５と枠部材４との間に設けられた止水材６と、をさらに備える。
【００５４】
この構成を有する外壁構造は、止水材６によりバックアップ材５と枠部材４との間が止水される。このため、外壁材７と枠部材４の間に設けられた目地材８が経年劣化等しても、屋内側に雨水が入り難くなる。
【００５５】
また、外壁材７と枠部材４との間を止水するには、例えば軟質の防水テープを壁下地１の屋外側の面と枠部材４の外壁材７側の側面とに跨るように貼り付けることが考えられる。しかし、防水テープは変形しやすいため、防水テープを壁下地１と突出部４０との間に跨って貼り付ける作業は、容易ではない。これに対して第１実施形態及び第２実施形態の外壁構造では、剛性を有するバックアップ材５を、突出部４０との間に止水材６を挟み込むように壁下地１に取り付けるだけで、壁下地１と突出部４０との間を簡単に止水できる。
【００５６】
また、第１実施形態及び第２実施形態の外壁構造は、以下の付加的な構成を有している。止水材６は、バックアップ材５を枠部材４に接着する接着剤である。
【００５７】
この構成を有する防水構造では、バックアップ材５を枠部材４に接着するための接着剤を利用して、バックアップ材５と突出部４０との間を止水できる。
【００５８】
また、第１実施形態及び第２実施形態の外壁構造は、以下の付加的な構成を有している。壁下地１の表面には、防水シート９０が貼り付けられる。バックアップ材５は、開口１０の周縁部の表面に固定される。バックアップ材５は、バックアップ材５の前記周縁部側の端部と防水シート９０との間を防水する防水テープ９０によって防水シート９０に貼り付けられる。
【００５９】
この構成を有する外壁構造では、防水テープ９０によりバックアップ材５と壁下地１との間を防水でき、外壁の防水性が一層高まる。
【００６０】
また、第２実施形態の外壁構造は、以下の付加的な構成を有している。目地材８は、バックアップ材５に取り付けられた乾式目地材である。
【００６１】
この構成を有する止水構造では、目地材８をバックアップ材５に固定でき、外壁における防水性を一層高めることができる。
【００６２】
また、第２実施形態の外壁構造は、以下の付加的な構成を有している。目地材８と止水材６との間に、外気と連通して該外気と略等圧の等圧空間８４が形成される。
【００６３】
この構成を有する外壁構造では、仮に目地材８と突出部４０との間に雨水が浸入しても、この雨水は等圧空間８４側に引き込まれ難くなり、外壁における防水性を一層高めることができる。
【００６４】
また、第２実施形態の外壁構造は、以下の付加的な構成を有している。止水材６が、目地材８と一体に形成される。
【００６５】
この構成を有する止水構造では、目地材８の一部である止水材６を利用して、バックアップ材５と突出部４０との間を簡単に止水できる。
【００６６】
なお、第１実施形態及び第２実施形態の建物は、鉄骨構造を有する建物であるが、木造の建物であってもよい。
【００６７】
また、枠部材４は、サッシ枠に限定されず、それ以外の枠部材で構成されていてもよい。
【００６８】
また、バックアップ材５は、その形状を保つことができる程度の剛性を有するのであれば、鋼以外の金属や合成樹脂、硬質ゴム等から形成されてもよい。
【００６９】
また、防水材９は、透湿防水シート９０及び防水テープ９１のうちの一方は省略してもよい。すなわち、この場合、防水材９は、透湿防水シート９０又は防水テープ９１のうちの一方により構成される。
【００７０】
また、この他、第１実施形態の各構成及び第２実施形態の各構成は、適宜組み合わせてもよく、第１実施形態及び第２実施形態の外壁構造は、適宜設計変更可能である。
【符号の説明】
【００７１】
１  壁下地
１０  開口
４  枠部材
４０  突出部
５  バックアップ材
６  止水材
７  外壁材
８  目地材
８４  等圧空間
９  防水材
【図１】
2017179872.tif 000003
【図２】
2017179872.tif 000004
【図３】
2017179872.tif 000005
【図４】
2017179872.tif 000006
【図５】
2017179872.tif 000007